(57)【要約】【課題】扉枠と扉とを、扉枠の縦枠部に変形を生じさせることなく緊縛し、扉設置部への扉枠と扉の嵌込み及び扉枠の固定を作業性良く行なわせることができ、しかも扉設置部の周面全体を覆い隠して良好な外観を得る。【解決手段】扉設置部の奥行き長さと同程度の奥行き寸法を有する扉枠１１を備え、この扉枠１１の一方の縦枠部１２に扉１０の一側縁を丁番１５により枢支させるとともに、前記扉枠１１の左右の縦枠部１２，１３の戸当り材取付け溝２０内に扉枠１１の内外側面に貫通するバンド通し孔を設け、扉枠１１と扉１０とを、扉１０を扉枠１１内に回動させて扉１０の他側縁側に設けた錠本体のラッチボルトを扉枠１１の他方の縦枠部１３の内側面に設けたストライク部材に係合させた閉扉状態で、前記扉枠１１のバンド通し孔２１よりも前面側の部分の周囲に前記バンド通し孔２１内を通して横巻きしたバンド２７により緊縛した。【選択図】図１
2005213939.tif 000002
【特許請求の範囲】
【請求項１】
建屋内の扉設置部に据付けられる内装用の枠付き扉において、
前記扉設置部の奥行き長さよりも小さい厚さを有する扉と、
少なくとも左右一対の縦枠部と上枠部とからなり、前記扉設置部の奥行き長さと同程度の奥行き寸法を有し、前記扉設置部に嵌込まれてその周面に固定される扉枠と、
前記扉枠を前記扉設置部の周面に固定した後に前記扉枠の内側面に取付けられる戸当り材と、
前記扉枠の前面側及び後面側に設けられ、前記扉枠と前記扉設置部の周面との間の隙間を覆い隠す前側及び後側化粧縁とを備え、
前記扉枠内に、前記扉が、その前面を前記扉枠の前面に近接させ、一側縁を前記扉枠の一方の縦枠部に丁番により枢支されて前記扉枠内とその前方とに回動可能に設けられるとともに、前記扉の他側縁側に、その側縁から出没するラッチボルトを有する錠本体が設けられ、前記扉枠の他方の縦枠部の内側面に、前記扉を前記扉枠内に回動させたときに前記錠本体のラッチボルトと係合するストライク部材が設けられ、前記扉枠の内側面に、前記扉を前記扉枠内に回動させたときの扉後面位置の直後に対応させて前記戸当り材の取付け部が形成され、
さらに、前記扉枠の左右の縦枠部の高さ方向の少なくとも１箇所にそれぞれ、前記戸当り材により覆い隠される領域内に位置させて、前記扉枠の内側面から外側面に貫通するバンド通し孔が設けられ、
前記扉枠と前記扉とが、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きされ、前記扉枠を前記扉設置部の周面に固定した後に切断して取外されるバンドにより緊縛されていることを特徴とする内装用枠付き扉。
【請求項２】
扉枠の前後面にそれぞれその周方向に沿わせて化粧縁嵌込み溝が設けられており、前記扉枠の前面の化粧縁嵌込み溝の少なくともバンド巻付け部分に、前記化粧縁嵌込み溝の溝幅と略同じ厚さの補強材が取外し可能に嵌込まれていることを特徴とする請求項１に記載の内装用枠付き扉。
【請求項３】
建屋内の扉設置部に据付けられる内装用の枠付き扉において、
前記扉設置部の奥行き長さよりも小さい厚さを有する扉と、
少なくとも左右一対の縦枠部と上枠部とからなり、前記扉の厚さと同程度の奥行き寸法を有する枠本体部の後面の外側縁部に前記枠本体部の後方に突出する張出板部が形成され、前記扉設置部の前側部分に嵌込まれてその周面に固定される扉枠と、
少なくとも左右一対の縦枠部と上枠部とからなり、前記扉設置部の奥行き長さと前記扉枠の枠本体部の奥行き寸法との差と同程度の奥行き寸法を有し、外側面に前記扉枠の張出板部に対応する切欠部が形成され、内側に前記扉枠の枠本体部の内側面よりも枠内方向に突出する戸当り部が形成されてなり、前記扉枠を前記扉設置部の周面に固定した後に、前記切欠部を前記扉枠の張出板部に重ね、前面を前記扉枠の枠本体部の後面に当接させて前記扉設置部の周面に固定される補助枠と、
前記扉枠の前面側及び前記補助枠の後面側にそれぞれ設けられ、前記扉枠及び補助枠と前記扉設置部の周面との間の隙間を覆い隠す前側及び後側化粧縁とを備え、
前記扉枠内に、前記扉が、その一側縁を前記扉枠の一方の縦枠部の枠本体部に丁番により枢支されて前記扉枠内とその前方とに回動可能に設けられるとともに、前記扉の他側縁側に、その側縁の端面から出没するラッチボルトを有する錠本体が設けられ、前記扉枠の他方の縦枠部の枠本体部の内側面に、前記扉を前記扉枠内にその前面と平行に回動させたときに前記錠本体のラッチボルトと係合するストライク部材が設けられ、
さらに、前記扉枠の左右の縦枠部の張出板部の高さ方向の少なくとも１箇所にそれぞれ、前記枠本体部の後面の直後に位置させて、前記張出板部の内外面に貫通するバンド通し部が設けられ、
前記扉枠と前記扉とが、前記扉を前記扉枠内に回動させて前記錠本体のラッチボルトと前記ストライク部材とを係合させた閉扉状態で、前記扉枠の周囲に前記バンド通し部内を通して横巻きされ、前記扉枠を前記扉設置部の周面に固定した後、前記補助枠を前記扉設置部の周面に固定する前に切断して取外されるバンドにより緊縛されていることを特徴とする内装用枠付き扉。
【請求項４】
扉枠の枠本体部の後面にその周方向に沿わせて補助枠係合溝が形成され、補助枠の前面にその周方向に沿わせて前記補助枠係合溝に嵌合する扉枠係合凸部が形成されていることを特徴とする請求項３に記載の内装用枠付き扉。
【請求項５】
扉枠の前面と補助枠の後面とにそれぞれその周方向に沿わせて化粧縁嵌込み溝が設けられており、前記扉枠の前面の化粧縁嵌込み溝の少なくともバンド巻付け部分に、前記化粧縁嵌込み溝の溝幅と略同じ厚さの補強材が取外し可能に嵌込まれていることを特徴とする請求項３または４に記載の内装用枠付き扉。
【請求項６】
建屋内の扉設置部に据付けられる内装用の枠付き扉において、
前記扉設置部の奥行き長さよりも小さい厚さを有する扉と、
少なくとも左右一対の縦枠部と上枠部とからなり、前記扉設置部の奥行き長さよりも小さく前記扉の厚さよりも大きい奥行き寸法を有し、前記扉設置部の後側部分に嵌込まれてその周面に固定される扉枠と、
少なくとも左右一対の縦枠部と上枠部とからなり、前記扉設置部の奥行き長さと前記扉枠の奥行き寸法との差と同程度の奥行き寸法を有し、前記扉枠を前記扉設置部の周面に固定した後に、後面を前記扉枠の前面に当接させて前記扉設置部の周面に固定される補助枠と、
前記扉枠を前記扉設置部の周面に固定した後に前記扉枠の内側面に取付けられる戸当り材と、
前記補助枠の前面側及び前記扉枠の後面側にそれぞれ設けられ、前記補助枠及び扉枠と前記扉設置部の周面との間の隙間を覆い隠す前側及び後側化粧縁とを備え、
前記扉枠内に、前記扉が、その前面を前記扉枠の前面に近接させ、一側縁を前記扉枠の一方の縦枠部に丁番により枢支されて前記扉枠内とその前方とに回動可能に設けられるとともに、前記扉の他側縁側に、その側縁の端面から出没するラッチボルトを有する錠本体が設けられ、前記扉枠の他方の縦枠部の内側面に、前記扉を前記扉枠内にその前面と平行に回動させたときに前記錠本体のラッチボルトと係合するストライク部材が設けられ、前記扉枠の内側面に、前記扉を前記扉枠内に回動させたときの扉後面位置の直後に対応させて前記戸当り材の取付け部が形成され、
さらに、前記扉枠の左右の縦枠部の高さ方向の少なくとも１箇所にそれぞれ、前記戸当り材により覆い隠される領域内に位置させて、前記扉枠の内側面から外側面に貫通するバンド通し孔が設けられ、
前記扉枠と前記扉とが、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きされ、前記扉枠を前記扉設置部の周面に固定した後、前記補助枠を前記扉設置部の周面に固定する前に切断して取外されるバンドにより緊縛されていることを特徴とする内装用枠付き扉。
【請求項７】
扉枠の前面にその周方向に沿わせて補助枠係合溝が形成され、補助枠の後面にその周方向に沿わせて前記補助枠係合溝に嵌合する扉枠係合凸部が形成されていることを特徴とする請求項６に記載の内装用枠付き扉。
【請求項８】
扉枠の前面に形成された補助枠係合溝の少なくともバンド巻付け部分に、前記補助枠係合溝の溝幅と略同じ厚さの補強材が取外し可能に嵌込まれていることを特徴とする請求項７に記載の内装用枠付き扉。
【発明の詳細な説明】
【技術分野】
【０００１】
この発明は、建屋内の扉設置部に据付けられる内装用の枠付き扉に関するものである。
【背景技術】
【０００２】
建屋内の居室の入口等の扉設置部に据付けられる内装用枠付き扉として、扉枠の一方の縦枠部に扉の一側縁を丁番により枢支させ、前記扉枠と扉とを、前記扉を前記扉枠内に回動させて前記扉の他側縁側に設けられた錠本体のラッチボルトと前記扉枠の他方の縦枠部の内側面に設けられたストライク部材とを係合させた閉扉状態で、前記扉枠の周囲に横巻きしたバンドにより緊縛したものがある（特許文献１参照）。
【０００３】
この内装用枠付き扉は、前記扉枠と扉とを前記バンドにより緊縛した状態で建屋内の扉設置部に嵌込んで据付けるようにしたものであり、前記バンドは、前記扉枠を前記扉設置部の周面に釘または木ネジ等により固定した後に任意箇所で切断されて取外される。
【０００４】
この内装用枠付き扉は、扉枠に扉を枢支させたまま扉設置部に据付けることができるため、据付け作業に要する手間と時間を節減することができる。
【特許文献１】特許第２６５３９８４号公報
【発明の開示】
【発明が解決しようとする課題】
【０００５】
しかし、扉枠と扉とを前記扉枠の周囲に横巻きしたバンドにより緊縛した従来の内装用枠付き扉は、前記バンドの緊縛力によって扉枠の左右の縦枠部が枠内方向に変形してしまうという問題をもっている。
【０００６】
図１７は従来の内装用枠付き扉のバンドにより緊縛された扉枠と扉の模式的断面図であり、扉１は、約３３ｍｍの厚さの規格品であり、扉枠２の奥行き寸法（枠見込みと呼ばれる枠前後面間の寸法）は、建屋内の扉設置部の周面全体を覆い隠すために、前記扉設置部の奥行き長さと同程度に設定されている。
【０００７】
なお、内装用枠付き扉は、例えば建屋内の居室の壁に開口された扉設置部に据付けられるが、前記居室の標準的な壁厚、つまり扉設置部の奥行き長さは、日本国の場合、高層住宅で約６０〜８０ｍｍ、木造戸建住宅で約１２０ｍｍであり、欧米や中国等のレンガ積み、石積み、ブロック積みをベースとした住宅では２００ｍｍを越える。したがって、前記扉設置部の奥行き長さと同程度に設定された扉枠２の奥行き寸法は、扉１の厚さに比べてはるかに大きい。
【０００８】
そして、従来の内装用枠付き扉では、図１７に示したように、扉枠２内に、扉１を、その前面（図において上側の面）を前記扉枠２の前面に近接させ、一側縁を前記扉枠２の一方の縦枠部３ａに丁番４により枢支させて前記扉枠２内とその前方とに回動可能に設け、前記扉枠２と扉１とを、前記扉１を扉枠２内に回動させて前記扉１の他側縁側に設けられた図示しない錠本体のラッチボルトと扉枠２の他方の縦枠部３ｂの内側面に設けられた図示しないストライク部材とを係合させた閉扉状態で、前記扉枠２と扉１とを扉枠２の周囲に横巻きしたバンド５により緊縛している。
【０００９】
そのため、この内装用枠付き扉は、前記扉枠２と扉１とをバンド５により緊縛した後に、時間の経過にともなって、扉枠２の左右の縦枠部３ａ，３ｂが前記バンド５の緊縛力により、図に仮想線（二点鎖線）で示したように、扉１により枠内方向から受止められている前縁側から枠内方向からの受止め力が得られない後縁側に向かって枠内方向に傾いた状態に変形する。
【００１０】
そのため、従来の内装用枠付き扉は、扉枠２の周囲に横巻きされたバンド５に緩みが生じて扉１の枢支側とは反対側が扉枠２に対して前後方向にガタつくようになり、前記扉枠２と扉１とを扉設置部に嵌込む際の作業性を低下させる。
【００１１】
なお、前記閉扉状態では、扉１の枢支側とは反対側に設けられた錠本体のラッチボルトと扉枠２の他方の縦枠部３ｂの内側面に設けられたストライク部材とが係合しているが、その係合状態にはある程度の遊びがあるため、前記扉１のガタつきは避けられず、また、前記バンド５の緩みが大きい場合は、前記錠本体のラッチボルトが前記ストライク部材から抜け外れて扉１のガタつきがさらに大きくなる。
【００１２】
また、前記扉設置部に嵌込まれた扉枠２は、この扉枠２と扉１とを前記バンド５により緊縛した状態で前記扉設置部の周面に釘または木ネジ等により固定されるが、従来の内装用枠付き扉は、扉枠２の左右の縦枠部３ａ，３ｂが前記バンド５の緊縛力によって上記のように傾き変形しているため、この縦枠部３ａ，３ｂを前記扉設置部の周面に完全に固定することが難しく、そのために、前記バンド５を切断して取外した後に、前記釘または木ネジ等をさらに打ち込んで前記縦枠部３ａ，３ｂを扉設置部の周面に完全に固定する必要があり、したがって、扉設置部の周面に扉枠２を固定する作業性も低下させてしまう。
【００１３】
この発明は、扉枠と扉とを、前記扉枠の縦枠部に変形を生じさせることなく緊縛し、扉設置部への前記扉枠と扉の嵌込み及び前記扉設置部の周面への前記扉枠の固定を作業性良く行なわせることができ、しかも前記扉設置部の周面全体を覆い隠して良好な外観を得ることができる内装用枠付き扉を提供することを目的としたものである。
【課題を解決するための手段】
【００１４】
この発明の第１の内装用枠付き扉は、建屋内の扉設置部の奥行き長さよりも小さい厚さを有する扉と、少なくとも左右一対の縦枠部と上枠部とからなり、前記扉設置部の奥行き長さと同程度の奥行き寸法を有し、前記扉設置部に嵌込まれてその周面に固定される扉枠と、前記扉枠を前記扉設置部の周面に固定した後に前記扉枠の内側面に取付けられる戸当り材と、前記扉枠の前面側及び後面側に設けられ、前記扉枠と前記扉設置部の周面との間の隙間を覆い隠す前側及び後側化粧縁とを備え、前記扉枠内に、前記扉が、その前面を前記扉枠の前面に近接させ、一側縁を前記扉枠の一方の縦枠部に丁番により枢支されて前記扉枠内とその前方とに回動可能に設けられるとともに、前記扉の他側縁側に、その側縁から出没するラッチボルトを有する錠本体が設けられ、前記扉枠の他方の縦枠部の内側面に、前記扉を前記扉枠内に回動させたときに前記錠本体のラッチボルトと係合するストライク部材が設けられ、前記扉枠の内側面に、前記扉を前記扉枠内に回動させたときの扉後面位置の直後に対応させて前記戸当り材の取付け部が形成され、さらに、前記扉枠の左右の縦枠部の高さ方向の少なくとも１箇所にそれぞれ、前記戸当り材により覆い隠される領域内に位置させて、前記扉枠の内側面から外側面に貫通するバンド通し孔が設けられ、前記扉枠と前記扉とが、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きされ、前記扉枠を前記扉設置部の周面に固定した後に切断して取外されるバンドにより緊縛されていることを特徴とする。
【００１５】
この第１の内装用枠付き扉において、前記扉枠の前後面にそれぞれその周方向に沿わせて化粧縁嵌込み溝を設ける場合は、前記扉枠の前面の化粧縁嵌込み溝の少なくともバンド巻付け部分に、前記化粧縁嵌込み溝の溝幅と略同じ厚さの補強材を取外し可能に嵌込むのが好ましい。
【００１６】
また、この発明の第２の内装用枠付き扉は、建屋内の扉設置部の奥行き長さよりも小さい厚さを有する扉と、少なくとも左右一対の縦枠部と上枠部とからなり、前記扉の厚さと同程度の奥行き寸法を有する枠本体部の後面の外側縁部に前記枠本体部の後方に突出する張出板部が形成され、前記扉設置部の前側部分に嵌込まれてその周面に固定される扉枠と、少なくとも左右一対の縦枠部と上枠部とからなり、前記扉設置部の奥行き長さと前記扉枠の枠本体部の奥行き寸法との差と同程度の奥行き寸法を有し、外側面に前記扉枠の張出板部に対応する切欠部が形成され、内側に前記扉枠の枠本体部の内側面よりも枠内方向に突出する戸当り部が形成されてなり、前記扉枠を前記扉設置部の周面に固定した後に、前記切欠部を前記扉枠の張出板部に重ね、前面を前記扉枠の枠本体部の後面に当接させて前記扉設置部の周面に固定される補助枠と、前記扉枠の前面側及び前記補助枠の後面側にそれぞれ設けられ、前記扉枠及び補助枠と前記扉設置部の周面との間の隙間を覆い隠す前側及び後側化粧縁とを備え、前記扉枠内に、前記扉が、その一側縁を前記扉枠の一方の縦枠部の枠本体部に丁番により枢支されて前記扉枠内とその前方とに回動可能に設けられるとともに、前記扉の他側縁側に、その側縁から出没するラッチボルトを有する錠本体が設けられ、前記扉枠の他方の縦枠部の枠本体部の内側面に、前記扉を前記扉枠内に回動させたときに前記錠本体のラッチボルトと係合するストライク部材が設けられ、さらに、前記扉枠の左右の縦枠部の張出板部の高さ方向の少なくとも１箇所にそれぞれ、前記枠本体部の後面の直後に位置させて、前記張出板部の内外面に貫通するバンド通し部が設けられ、前記扉枠と前記扉とが、前記扉を前記扉枠内に回動させて前記錠本体のラッチボルトと前記ストライク部材とを係合させた閉扉状態で、前記扉枠の周囲に前記バンド通し部内を通して横巻きされ、前記扉枠を前記扉設置部の周面に固定した後、前記補助枠を前記扉設置部の周面に固定する前に切断して取外されるバンドにより緊縛されていることを特徴とする。
【００１７】
この第２の内装用枠付き扉においては、前記扉枠の枠本体部の後面にその周方向に沿わせて補助枠係合溝を形成し、前記補助枠の前面にその周方向に沿わせて前記補助枠係合溝に嵌合する扉枠係合凸部を形成するのが好ましい。
【００１８】
また、この第２の内装用枠付き扉において、前記扉枠の枠本体部の前面と前記補助枠の後面とにそれぞれその周方向に沿わせて化粧縁嵌込み溝を設ける場合は、前記扉枠の枠本体部の前面の化粧縁嵌込み溝の少なくともバンド巻付け部分に、前記化粧縁嵌込み溝の溝幅と略同じ厚さの補強材を取外し可能に嵌込むのが望ましい。
【００１９】
さらに、この発明の第３の内装用枠付き扉は、建屋内の扉設置部の奥行き長さよりも小さい厚さを有する扉と、少なくとも左右一対の縦枠部と上枠部とからなり、前記扉設置部の奥行き長さよりも小さく前記扉の厚さよりも大きい奥行き寸法を有し、前記扉設置部の後側部分に嵌込まれてその周面に固定される扉枠と、少なくとも左右一対の縦枠部と上枠部とからなり、前記扉設置部の奥行き長さと前記扉枠の奥行き寸法との差と同程度の奥行き寸法を有し、前記扉枠を前記扉設置部の周面に固定した後に、後面を前記扉枠の前面に当接させて前記扉設置部の周面に固定される補助枠と、前記扉枠を前記扉設置部の周面に固定した後に前記扉枠の内側面に取付けられる戸当り材と、前記補助枠の前面側及び前記扉枠の後面側にそれぞれ設けられ、前記補助枠及び扉枠と前記扉設置部の周面との間の隙間を覆い隠す前側及び後側化粧縁とを備え、前記扉枠内に、前記扉が、その前面を前記扉枠の前面に近接させ、一側縁を前記扉枠の一方の縦枠部に丁番により枢支されて前記扉枠内とその前方とに回動可能に設けられるとともに、前記扉の他側縁側に、その側縁から出没するラッチボルトを有する錠本体が設けられ、前記扉枠の他方の縦枠部の内側面に、前記扉を前記扉枠内に回動させたときに前記錠本体のラッチボルトと係合するストライク部材が設けられ、前記扉枠の内側面に、前記扉を前記扉枠内に回動させたときの扉後面位置の直後に対応させて前記戸当り材の取付け部が形成され、さらに、前記扉枠の左右の縦枠部の高さ方向の少なくとも１箇所にそれぞれ、前記戸当り材により覆い隠される領域内に位置させて、前記扉枠の内側面から外側面に貫通するバンド通し孔が設けられ、前記扉枠と前記扉とが、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きされ、前記扉枠を前記扉設置部の周面に固定した後、前記補助枠を前記扉設置部の周面に固定する前に切断して取外されるバンドにより緊縛されていることを特徴とする。
【００２０】
この第３の内装用枠付き扉においては、前記扉枠の前面にその周方向に沿わせて補助枠係合溝を形成し、前記補助枠の後面にその周方向に沿わせて前記補助枠係合溝に嵌合する扉枠係合凸部を形成するのが好ましい。
【００２１】
その場合は、前記扉枠の前面に形成された前記補助枠係合溝の少なくともバンド巻付け部分に、前記補助枠係合溝の溝幅と略同じ厚さの補強材を取外し可能に嵌込むのが望ましい。
【発明の効果】
【００２２】
この発明の第１の内装用枠付き扉は、上記のように、建屋内の扉設置部の奥行き長さと同程度の奥行き寸法を有する扉枠を備え、前記扉枠内に、扉を、その前面を前記扉枠の前面に近接させ、一側縁を前記扉枠の一方の縦枠部に丁番により枢支されて前記扉枠内とその前方とに回動可能に設けるとともに、前記扉の他側縁側に錠本体を設け、前記扉枠の他方の縦枠部の内側面に前記錠本体のラッチボルトと係合するストライク部材を設け、前記扉枠の内側面に、前記扉を前記扉枠内に回動させたときの扉後面位置の直後に対応させて戸当り材の取付け部を形成し、さらに、前記扉枠の左右の縦枠部にそれぞれ、前記戸当り材により覆い隠される領域内に位置させて、前記扉枠の内側面から外側面に貫通するバンド通し孔を設け、前記扉枠と扉とを、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きしたバンドにより緊縛しているため、前記扉枠と扉とを、前記扉枠の縦枠部に変形を生じさせることなく緊縛し、扉設置部への前記扉枠と扉の嵌込み及び前記扉設置部の周面への前記扉枠の固定を作業性良く行なわせることができ、しかも前記扉設置部の周面全体を前記扉枠により覆い隠して良好な外観を得ることができる。
【００２３】
この第１の内装用枠付き扉において、前記扉枠の前後面にそれぞれその周方向に沿わせて化粧縁嵌込み溝を設ける場合は、前記扉枠の前面の化粧縁嵌込み溝の少なくともバンド巻付け部分に、前記化粧縁嵌込み溝の溝幅と略同じ厚さの補強材を取外し可能に嵌込むのが好ましく、このようにすることにより、前記扉枠の外側面の前縁部と前記化粧縁嵌込み溝との間の部分が前記バンド巻付け部分の付近において前記バンドの緊縛力により欠損するのを防ぐことができる。
【００２４】
また、この発明の第２の内装用枠付き扉は、上記のように、扉の厚さと同程度の奥行き寸法を有する枠本体部の後面の外側縁部に前記枠本体部の後方に突出する張出板部が形成され、建屋内の扉設置部の前側部分に嵌込まれてその周面に固定される扉枠と、前記扉設置部の奥行き長さと前記扉枠の枠本体部の奥行き寸法との差と同程度の奥行き寸法を有し、外側面に前記扉枠の張出板部に対応する切欠部が形成され、内側に前記扉枠の枠本体部の内側面よりも枠内方向に突出する戸当り部が形成されてなり、前記扉枠を前記扉設置部の周面に固定した後に、前記切欠部を前記扉枠の張出板部に重ね、前面を前記扉枠の枠本体部の後面に当接させて前記扉設置部の周面に固定される補助枠とを備え、前記扉枠内に、前記扉を、その一側縁を前記扉枠の一方の縦枠部の枠本体部に丁番により枢支させて前記扉枠内とその前方とに回動可能に設けるとともに、前記扉の他側縁側に錠本体を設け、前記扉枠の他方の縦枠部の枠本体部の内側面に前記錠本体のラッチボルトと係合するストライク部材を設け、さらに、前記扉枠の左右の縦枠部の張出板部にそれぞれ、前記枠本体部の後面の直後に位置させて、前記張出板部の内外面に貫通するバンド通し部を設け、前記扉枠と前記扉とを、前記扉を前記扉枠内に回動させて前記錠本体のラッチボルトと前記ストライク部材とを係合させた閉扉状態で、前記扉枠の周囲に前記バンド通し部内を通して横巻きしたバンドにより緊縛しているため、前記扉枠と扉とを、前記扉枠の縦枠部に変形を生じさせることなく緊縛し、扉設置部への前記扉枠と扉の嵌込み及び前記扉設置部の周面への前記扉枠の固定を作業性良く行なわせることができ、しかも前記扉設置部の周面全体を前記扉枠と補助枠により覆い隠して良好な外観を得ることができる。
【００２５】
この第２の内装用枠付き扉においては、前記扉枠の枠本体部の後面にその周方向に沿わせて補助枠係合溝を形成し、前記補助枠の前面にその周方向に沿わせて前記補助枠係合溝に嵌合する扉枠係合凸部を形成するのが好ましく、このようにすることにより、前記補助枠を、前記扉設置部の周面に固定された前記扉枠に容易に且つ位置ずれを生じさせること無く正確に当接させて前記扉設置部の周面に固定することができる。
【００２６】
また、この第２の内装用枠付き扉において、前記扉枠の前面（枠本体部の前面）と前記補助枠の後枠の後面とにそれぞれその周方向に沿わせて化粧縁嵌込み溝を設ける場合は、前記扉枠の前面の化粧縁嵌込み溝の少なくともバンド巻付け部分に、前記化粧縁嵌込み溝の溝幅と略同じ厚さの補強材を取外し可能に嵌込むのが望ましく、このようにすることにより、前記扉枠の外側面の前縁部と前記化粧縁嵌込み溝との間の部分が前記バンド巻付け部分の付近において前記バンドの緊縛力により欠損するのを防ぐことができる。
【００２７】
さらに、この発明の第３の内装用枠付き扉は、上記のように、建屋内の扉設置部の奥行き長さよりも小さく扉の厚さよりも大きい奥行き寸法を有し、前記扉設置部の後側部分に嵌込まれてその周面に固定される扉枠と、前記扉設置部の奥行き長さと前記扉枠の奥行き寸法との差と同程度の奥行き寸法を有し、前記扉枠を前記扉設置部の周面に固定した後に、後面を前記扉枠の前面に当接させて前記扉設置部の周面に固定される補助枠とを備え、前記扉を前記扉枠内に、前記扉の一側縁を前記扉枠の一方の縦枠部に丁番により枢支させて前記扉枠の前方に開き回動可能に設けるとともに、前記扉の他側縁側に錠本体を設け、前記扉枠の他方の縦枠部の内側面に前記錠本体のラッチボルトと係合するストライク部材を設け、前記扉枠の内側面に、前記扉を前記扉枠内に回動させたときの扉後面位置の直後に対応させて戸当り材の取付け部を形成し、さらに、前記扉枠の左右の縦枠部にそれぞれ、前記戸当り材により覆い隠される領域内に位置させて、前記扉枠の内側面から外側面に貫通するバンド通し孔を設け、前記扉枠と扉とを、前記扉を前記扉枠内に回動させて前記錠本体のラッチボルトと前記ストライク部材とを係合させた閉扉状態で、前記扉枠の前記バンド通し孔よりも前面側の部分の周囲に前記バンド通し孔内を通して横巻きしたバンドにより緊縛しているため、前記扉枠と扉とを、前記扉枠の縦枠部に変形を生じさせることなく緊縛し、扉設置部への前記扉枠と扉の嵌込み及び前記扉設置部の周面への前記扉枠の固定を作業性良く行なわせることができ、しかも前記扉設置部の周面全体を前記扉枠と補助枠により覆い隠して良好な外観を得ることができる。
【００２８】
この第３の内装用枠付き扉においては、前記扉枠の前面にその周方向に沿わせて補助枠係合溝を形成し、前記補助枠の後面にその周方向に沿わせて前記補助枠係合溝に嵌合する扉枠係合凸部を形成するのが好ましく、このようにすることにより、前記補助枠を、前記扉設置部の周面に固定された前記扉枠に容易に且つ位置ずれを生じさせること無く正確に当接させて前記扉設置部の周面に固定することができる。
【００２９】
その場合は、前記扉枠の前面に形成された前記補助枠係合溝の少なくともバンド巻付け部分に、前記補助枠係合溝の溝幅と略同じ厚さの補強材を取外し可能に嵌込むのが望ましく、このようにすることにより、前記扉枠の外側面の前縁部と前記補助枠係合溝との間の部分が前記バンド巻付け部分の付近において前記バンドの緊縛力により欠損するのを防ぐことができる。
【発明を実施するための最良の形態】
【００３０】
［第１の実施例］
図１〜図６はこの発明の内装用枠付き扉の第１の実施例を示しており、図１及び図２はバンドにより緊縛された扉枠と扉の前面側及び後面側から見た斜視図、図３は前記扉枠と扉の緊縛部分における断面図、図４は前記扉に設けられた錠本体と前記扉枠に設けられたストライク部材の断面図、図５は扉設置部への据付終了状態の断面図、図６は前記扉設置部の周面に対する扉枠の固定方法を示す拡大断面図である。
【００３１】
この実施例の内装用枠付き扉は、建屋内の扉設置部の奥行き長さよりも小さい厚さを有する扉１０と、左右一対の縦枠部１２，１３と上枠部１４とからなり、前記扉設置部に嵌込まれてその周面に固定される扉枠１１と、前記扉枠１１を前記扉設置部の周面に固定した後に前記扉枠１１の内側面に取付けられる戸当り材２４と、前記扉枠１１を前記扉設置部の周面に固定した後に前記扉枠１１の前面側及び後面側に設けられ、前記扉枠１１と前記扉設置部の周面との間の隙間を覆い隠す前側及び後側化粧縁２５，２６とを備えている。
【００３２】
前記扉１０と扉枠１１はいずれも木製品であり、扉１０は約３３ｍｍの厚さの規格品、前記扉枠１１は前記扉設置部の奥行き長さと同程度、例えば前記扉設置部の奥行き長さに対して２〜１０ｍｍ程度短い奥行き寸法（枠見込みと呼ばれる枠前後面間の寸法）を有している。
【００３３】
なお、図１及び図２では前記扉枠１１の左右の縦枠部１２，１３と上枠部１４とを連続した一体物のように示しているが、この扉枠１１は、左右一対の縦枠材と上枠材の端部を互いに接合して構成されている。
【００３４】
そして、前記扉１０は、図１及び図３に示したように、前記扉枠１１内に、前記扉１０の前面（図３において上側の面）を前記扉枠１１の前面に近接させ、前記扉１０の一側縁の上端側と下端側の２箇所を前記扉枠１１の一方の縦枠部１２に丁番１５により枢支されて、前記扉枠１１内とその前方（図３において上方）とに回動可能に設けられている。
【００３５】
また、前記扉１０の他側縁側の内部には、図４に示したように、この扉１０の他側縁の端面から出没するラッチボルト１７を有する錠本体１６が設けられ、前記扉枠１１の他方の縦枠部１３の内側面には、前記扉１０を前記扉枠１１内にその前面と平行に回動させたときに前記錠本体１６のラッチボルト１７と係合するストライク部材１９が設けられている。
【００３６】
なお、前記錠本体１６とストライク部材１９はいずれも市販品であり、錠本体１６のラッチボルト１７は、錠本体１６内に設けられた図示しないカム機構に係合され、扉１０の前面側と後面側とに前記カム機構のカム軸の両端にそれぞれ固定して設けられたハンドル１８の回動操作により扉１０内に引き込まれ、復帰ばねにより前記扉１０の端面から突出される。
【００３７】
前記ストライク部材１９は、前記錠本体１６のラッチボルト１７の先端を嵌入させるストライクボックス部１９ａと、その開放縁に形成されたストライクプレート部１９ｂとからなっており、前記扉枠１１の他方の縦枠部１３の内側面に設けられた凹入部に前記ストライクボックス部１９ａを嵌込み、前記縦枠部１３の内側面に前記ストライクプレート部１９ｂを接面させて、このストライクプレート部１９ｂを前記縦枠部１３に木ネジ（図示せず）により固定されている。
【００３８】
また、前記扉枠１１の内側面（左右の縦枠部１２，１３及び上枠部１４の内側面）には、前記扉１０を前記扉枠１１内にその前面と平行に回動させたときの扉後面位置の直後に対応させて前記戸当り材２４の取付け部２０が形成されている。
【００３９】
前記戸当り材２４は、図５及び図６に示したように、一側面にその全長にわたって凸部を形成した角棒状の木材からなっており、前記戸当り材取付け部２０は、前記扉枠１１の内側面にその周方向に沿わせて設けられた、前記戸当り材２４の凸部の幅と略同じ幅を有する溝からなっている。以下、この戸当り材取付け部２０を戸当り材取付け溝という。
【００４０】
さらに、前記扉枠１１の左右の縦枠部１２，１３には、その高さ方向の２箇所、例えば上下の丁番１５による枢支部付近の箇所にそれぞれ、前記戸当り材２４により覆い隠される領域内に位置させて、前記扉枠１１の内側面から外側面に貫通するバンド通し孔２１が設けられている。この実施例では、前記バンド通し孔２１を、前記戸当り材取付け溝２０内に、その溝底面から前記扉枠１１の外側面に貫通させて設けている。
【００４１】
また、前記扉枠１１の前後面（左右の縦枠部１２，１３及び上枠部１４の前後面）にはそれぞれ、その周方向に沿わせて、前側及び後側化粧縁２５，２６を取付けるための化粧縁嵌込み溝２２，２３が設けられている。
【００４２】
前記化粧縁２５，２６は、木材の加工品や樹脂または金属の成形品であり、この化粧縁２５，２６の裏面には、その全長にわたって、前記化粧縁嵌込み溝２２，２３に嵌込まれる足板部が突出形成されている。
【００４３】
そして、前記扉枠１１とこの扉枠１１の一方の縦枠部１２に前記丁番１５により一側縁を枢支された扉１０とは、前記扉１０を前記扉枠１１内にその前面と平行に回動させて前記錠本体１６のラッチボルト１７と前記ストライク部材１９とを係合させた閉扉状態で、前記扉枠１１のバンド通し孔２１よりも前面側の部分の周囲に前記バンド通し孔２１内を通して横巻きされ、前記扉枠１１を前記建屋内の扉設置部の周面に固定した後に切断して取外されるバンド２７により緊縛されている。
【００４４】
このバンド２７は、梱包用バンドと同じ非伸縮性樹脂バンドであり、前記扉枠１１の左右の縦枠部１２，１３の高さ方向の２箇所、つまりバンド通し孔２１が設けられた部分にそれぞれ前記バンド通し孔２１内を通して横巻きされて緊張され、前記扉枠１１と前記扉１０とを、扉枠１１の左右の縦枠部１２，１３間に扉１０をずれ動きを生じさせない力で緊縛した状態で、前記扉１０の前後いずれかの面側においてバンド両端を溶着されている。図において２７ａはバンド両端の溶着部である。
【００４５】
また、この実施例では、図４のように前記ストライク部材１９にラッチボルト受け２８を仮装着して前記錠本体１６のラッチボルト１７とストライク部材１９とをガタつきの無い状態で係合させるとともに、図３のように前記扉枠１１の左右の縦枠部１２，１３の内側面と扉１０の両側縁の端面との間の隙間に少なくとも前記バンド２７の巻付け部分に対応させてスペーサ２９を挟み込み、前記扉枠１１の前面の化粧縁嵌込み溝２２の少なくともバンド巻付け部分に補強材３０を取外し可能に嵌込み、さらに、図２のように前記扉枠１１の左右の縦枠部１２，１３の下端部に仮戸当り材３１を仮装着して、その状態で前記扉枠１１と扉１０とを前記バンド２７により緊縛している。
【００４６】
前記ラッチボルト受け２８は、前記ストライク部材１９のストライクプレート部１９ｂと略同じ面積の平板部の一方の面に、前記ストライク部材１９のストライクボックス部１９ａ内に密に嵌合するボス部を形成し、その中心部に、前記錠本体１６のラッチボルト１７を密に嵌入させるラッチボルト嵌合孔を設けた樹脂成型品であり、前記錠本体１６のラッチボルト１７は、前記ストライク部材１９に仮装着された前記ラッチボルト受け２８のラッチボルト嵌合孔に嵌入されている。
【００４７】
なお、前記ラッチボルト受け２８の平板部は、扉枠１１のストライク部材１９を設けた縦枠部１３の内側面と前記扉１０の側縁の端面との間の隙間と略同じ厚さを有しており、前記バンド２７の緊縛力によって前記縦枠部１３と扉１０との間に挟持される。
【００４８】
また、前記扉枠１１の左右の縦枠部１２，１３の内側面と扉１０の両側縁の端面との間の隙間に挟み込むスペーサ２９は、前記隙間と略同じ厚さの板片であり、このスペーサ２９は、前記バンド２７の緊縛力によって、前記縦枠部１２，１３と扉１０との間にみだりに抜け外れないように挟持される。なお、このスペーサ２９の長さは任意でよく、要は、少なくとも前記バンド２７の巻付け部分に対応していればよい。
【００４９】
さらに、前記扉枠１１の前面の化粧縁嵌込み溝２２に嵌込む補強材３０は、前記化粧縁嵌込み溝２２の溝幅と略同じ厚さと、前記化粧縁嵌込み溝２２の深さよりも僅かに（数ｍｍ程度）大きい幅を有する板片であり、この補強材３０は、前記化粧縁嵌込み溝２２内に補強材３０の一側縁部が扉枠１１の前面から突出する状態で嵌込まれ、その突出部を前記バンド２７により押えられて、みだりに化粧縁嵌込み溝２２内から抜け外れないように固定される。なお、この補強材３０の長さは任意でよく、要は、少なくとも前記バンド２７の巻付け部分に位置していればよい。
【００５０】
また、前記仮戸当り材３１は、前記戸当り材２４を前記扉枠１１の左右の縦枠部１２，１３及び上枠部１４の内側面長さに合わせて採寸したときの余り材を利用したものであり、この仮戸当り材３１は、前記扉枠１１の左右の縦枠部１２，１３の下端部にそれぞれ、その凸部（戸当り材２４の凸部に相当する部分）を前記戸当り材取付け溝２０に嵌込んで仮装着され、前記扉１０の下端側の両側部分をその後面側から受け止めている。
【００５１】
上記内装用枠付き扉は、前記扉枠１１と扉１０とを前記バンド２７により緊縛した状態で建屋内の扉設置部に嵌込んで据付けるようにしたものであり、その据付け施工は次のような手順で行なわれる。
【００５２】
まず、前記バンド２７により緊縛されている扉枠１１と扉１０とを、建屋内の扉設置部、例えば図５及び図６に示した居室壁Ａに設けられた開口部に嵌込んで位置決めする。
【００５３】
この作業は、前記扉１０を扉枠１１内に回動させた閉扉状態での作業であるが、前記扉１０は前記バンド２７の緊縛力により扉枠１１にガタつきを生じないように支持されており、また、緊縛された扉枠１１と扉１０とを、前記扉枠１１の縦枠部１２，１３または上枠部１４と前記バンド２７とに手を掛けて持ち運ぶことができるため、一人で容易に行なうことができる。
【００５４】
次に、図６に示したように、前記扉枠１１の左右の縦枠部１２，１３及び上枠部１４の外側面と前記扉設置部の周面との間の隙間に、前記バンド２７に対応する部分を避けて、適当な厚さの板材３２を適当枚数重ねて挿入して扉枠１１の位置を安定させ、その状態で、前記扉枠１１の左右の縦枠部１２，１３及び上枠部１４を、扉枠１１の周方向に適当な間隔をおいて、戸当り材取付け溝２０内及び前後面の化粧縁嵌込み溝２２，２３内から前記扉設置部の周面（居室壁Ａの端面）に釘ａまたは木ネジ等を打込んで前記扉設置部の周面に固定する。
【００５５】
なお、この施工例では、扉枠１１を、当り材取付け溝２０内と前後面の化粧縁嵌込み溝２２，２３内とにおいて扉設置部の周面に固定しているが、前記扉枠１１は、充分な固定強度が得られさえすれば、当り材取付け溝２０内だけにおいて扉設置部の周面に固定しても、前後面の化粧縁嵌込み溝２２，２３内において扉設置部の周面に固定しても、前記当り材取付け溝２０内と前後面の化粧縁嵌込み溝２２，２３内のいずれか一方（好ましくは当り材取付け溝２０との間隔が大きい後面の化粧縁嵌込み溝２３内）とにおいて扉設置部の周面に固定してもよい。
【００５６】
次に、扉枠１１と扉１０とを緊縛しているバンド２７を、前記扉１０の前後面のいずれかの側において任意の箇所で切断し、その一方の端部を引っ張って前記バンド２７を取外す。
【００５７】
次に、前記錠本体１６のラッチボルト１７をハンドル１８の回動によりストライク部材１９から離脱させて扉１０を扉枠１１の前方に開き、前記ラッチボルト受け２８をストライク部材１９から取外すとともに、前記扉枠１１の左右の縦枠部１２，１３の内側面と扉１０の両側縁の端面との間の隙間に挟み込んでおいたスペーサ２９と、前記扉枠１１の前面の化粧縁嵌込み溝２２に嵌込んでおいた補強材３０と、前記扉枠１１の左右の縦枠部１２，１３の下端部にそれぞれ仮装着しておいた仮戸当り材３１とを取外す。
【００５８】
なお、前記扉設置部への扉枠１１の嵌込み及び固定は、前記錠本体１６のハンドル１８を取外した状態で行なってもよく、その場合は、前記扉設置部に扉枠１１を固定した後に、前記錠本体１６のカム軸を適当な工具により回動させて前記ラッチボルト１７を前記ストライク部材１９から離脱させるか、あるいは、扉枠１１を前記扉設置部に嵌込んで固定した後に、前記錠本体１６にハンドル１８を取付けてその回動により前記ラッチボルト１７を前記ストライク部材１９から離脱させればよい。
【００５９】
その後は、図５に示したように、前記扉枠１１の内側面に、前記戸当り材２４を、その凸部を前記戸当り材取付け溝２０に嵌込んで接着剤または隠し釘により扉枠１１に取付けるとともに、前記扉枠１１の前後面にそれぞれ前側及び後側化粧縁２５，２６を、その裏面を前記居室壁Ａの壁面に当接させ、前記足板部を前記化粧縁嵌込み溝２２，２３に嵌込んで接着剤または隠し釘により扉枠１１に取付け、枠付き扉の据付施工を終了する。
【００６０】
なお、前記戸当り材２４と前側化粧縁２５及び後側化粧縁２６の取付けは、任意の順序で行なえばよい。
【００６１】
上記実施例の内装用枠付き扉は、建屋内の扉設置部の奥行き長さと同程度の奥行き寸法を有する扉枠１１を備え、前記扉枠１１内に、扉１０を、その前面を前記扉枠１１の前面に近接させ、一側縁を前記扉枠１１の一方の縦枠部１２に丁番１５により枢支されて前記扉枠１１内とその前方とに回動可能に設けるとともに、前記扉１０の他側縁側に錠本体１６を設け、前記扉枠１１の他方の縦枠部１３の内側面に前記錠本体１６のラッチボルト１７と係合するストライク部材１９を設け、前記扉枠１１の内側面に、前記扉１０を扉枠１１内に回動させたときの扉後面位置の直後に対応させて戸当り材２４の取付け部（戸当り材取付け溝）２０を形成し、さらに、前記扉枠１１の左右の縦枠部１２，１３にそれぞれ、前記戸当り材２４により覆い隠される領域内（戸当り材取付け溝２０内）に位置させて、前記扉枠１１の内側面から外側面に貫通するバンド通し孔２１を設け、前記扉枠１１と扉１０とを、前記扉１０を扉枠１１内に回動させて錠本体１６のラッチボルト１７とストライク部材１９とを係合させた閉扉状態で、前記扉枠１１の前記バンド通し孔２１よりも前面側の部分の周囲に前記バンド通し孔２１内を通して横巻きしたバンド２７により緊縛しているため、前記扉枠１１と扉１０とを、前記扉枠１１の縦枠部１２，１３に変形を生じさせることなく緊縛し、扉設置部への前記扉枠１１と扉１０の嵌込み及び前記扉設置部の周面への前記扉枠の固定を作業性良く行なわせることができ、しかも前記扉設置部の周面全体を前記扉枠１１により覆い隠して良好な外観を得ることができる。
【００６２】
また、上記実施例の内装用枠付き扉は、前記扉枠１１の前後面にそれぞれその周方向に沿わせて化粧縁嵌込み溝を２２，２３を設けたものであるが、図３に示したように、前記扉枠１１の前面の化粧縁嵌込み溝２２の少なくともバンド巻付け部分に前記化粧縁嵌込み溝２２の溝幅と略同じ厚さの補強材３０を取外し可能に嵌込んでいるため、前記扉枠１１の外側面の前縁部と前記化粧縁嵌込み溝２２との間の部分が前記バンド巻付け部分の付近において前記バンド２７の緊縛力により欠損するのを防ぐことができる。
【００６３】
しかも、上記実施例では、前記化粧縁嵌込み溝２２の補強材３０の幅を前記化粧縁嵌込み溝２２の深さよりも僅かに大きくし、この補強材３０を、その一側縁部を扉枠１１の前面から突出させて前記化粧縁嵌込み溝２２内に嵌込んでいるため、図３に示したように、前記バンド２７を前記扉枠１１の前面から離間させて巻付けることができ、したがって、前記扉枠１１の前面が前記バンド２７によりこすられて擦り傷ができるのを防ぐことができる。
【００６４】
［第２の実施例］
図７〜図１１はこの発明の内装用枠付き扉の第２の実施例を示しており、図７及び図８はバンドにより緊縛された扉枠と扉の前面側及び後面側から見た斜視図、図９は前記扉枠と扉の緊縛部分における断面図、図１０は扉設置部への据付終了状態の断面図、図１１は前記扉設置部の周面に対する扉枠及び補助枠の固定方法を示す拡大断面図である。
【００６５】
この実施例の内装用枠付き扉は、建屋内の扉設置部の奥行き長さよりも小さい厚さを有する扉（第１の実施例のものと同じ約３３ｍｍの厚さの規格品）１０と、左右一対の縦枠部３４，３５と上枠部３６とからなり、前記扉１０の厚さと同程度、例えば前記扉１０の厚さに対して５〜１０ｍｍ程度短い奥行き寸法を有する枠本体部３３ａの後面の外側縁部に前記枠本体部３３ａの後方に突出する張出板部３３ｂが形成され、前記扉設置部の前側部分に嵌込まれてその周面に固定される扉枠３３と、左右一対の縦枠部３８，３９と上枠部４０とからなり、前記扉設置部の奥行き長さと前記扉枠３３の枠本体部３３ａの奥行き寸法との差と同程度、例えば前記扉設置部の奥行き長さと扉枠３３の枠本体部３３ａの奥行き寸法との差に対して２〜５ｍｍ程度短い奥行き寸法を有し、外側面に前記扉枠３３の張出板部３３ｂに対応する切欠部３７ａが形成され、内側に前記扉枠３３の枠本体部３３ａの内側面よりも枠内方向に突出する戸当り部３７ｂが形成されてなり、前記扉枠３３を前記扉設置部の周面に固定した後に、前記切欠部３７ａを前記扉枠３３の張出板部３３ｂに重ね、前面を前記扉枠３３の枠本体部３３ａの後面に当接させて前記扉設置部の周面に固定される補助枠３７と、前記扉枠３３と補助枠３７とを前記扉設置部の周面に固定した後に前記扉枠３３の前面側及び前記補助枠３７の後面側にそれぞれ設けられ、前記扉枠３３及び補助枠３７と前記扉設置部の周面との間の隙間を覆い隠す前側及び後側化粧縁４７，４８とを備えている。
【００６６】
なお、図７及び図８では前記扉枠３３の左右の縦枠部３４，３５と上枠部３５及び前記補助枠３７の左右の縦枠部３８，３９と上枠部４０とをそれぞれ連続した一体物のように示しているが、前記扉枠３３と補助枠３７はそれぞれ、木製の左右一対の縦枠材と上枠材の端部を互いに接合して構成されている。
【００６７】
そして、前記扉１０は、図７及び図９に示したように、前記扉枠３３内に、この扉１０の一側縁の上端側と下端側の２箇所を前記扉枠３３の一方の縦枠部３４の枠本体部に丁番４１により枢支されて前記扉枠３３内とその前方（図９において上方）とに回動可能に設けられている。
【００６８】
また、前記扉１０の他側縁側の内部には、図４に示した錠本体１６が設けられ、前記扉枠３３の他方の縦枠部３５の内側面には、図４に示したストライク部材１９が設けられている。
【００６９】
さらに、前記扉枠３３の枠本体部３３ａの後面には、その周方向に沿わせて補助枠係合溝４２が形成され、前記補助枠３７の前面には、その周方向に沿わせて前記補助枠係合溝４２に嵌合する扉枠係合凸部４３が形成されている。
【００７０】
また、前記扉枠３３の左右の縦枠部３４，３５の張出板部３３ｂには、その高さ方向の２箇所、例えば上下の丁番４１による枢支部付近の箇所にそれぞれ、前記枠本体部３３ａの後面の直後に位置させて、前記張出板部３３ｂの内外面に貫通するバンド通し部４４が設けられている。
【００７１】
なお、この実施例では、前記バンド通し部４４を、前記張出板部３３ｂの後縁に開放する溝状に形成しているが、この前記バンド通し部４４は、前記張出板部３３ｂの枠本体部３３ａ側の部分に孔状に形成してもよい。
【００７２】
また、前記扉枠３３の枠本体部３３ａの前面と前記補助枠３７の後面にはそれぞれ、その周方向に沿わせて、前側及び後側化粧縁４７，４８を取付けるための化粧縁嵌込み溝４５，４６が設けられている。
【００７３】
前記化粧縁４７，４８は、木材の加工品や樹脂または金属の成形品であり、この化粧縁４７，４８の裏面には、その全長にわたって、前記化粧縁嵌込み溝４５，４６に嵌込まれる足板部が突出形成されている。
【００７４】
そして、前記扉枠３３とこの扉枠３３の一方の縦枠部３４に前記丁番４１により一側縁を枢支された扉１０とは、前記扉１０を前記扉枠３３内にその前面と平行に回動させて前記錠本体１６のラッチボルト１７と前記ストライク部材１９とを係合させた閉扉状態で、前記扉枠３３の周囲に前記バンド通し部４４内を通して横巻きされ、前記扉枠３３を前記建屋内の扉設置部の周面に固定した後、前記補助枠３７を前記扉設置部の周面に固定する前に切断して取外されるバンド（非伸縮性樹脂バンド）４９により緊縛されている。
【００７５】
このバンド４９は、前記扉枠３３の左右の縦枠部３４，３５の高さ方向の２箇所、つまりバンド通し孔２１が設けられた部分にそれぞれ前記バンド通し部４４内を通して横巻きされて緊張され、前記扉枠３３と前記扉１０とを、扉枠３３の左右の縦枠部３４，３５間に扉１０をずれ動きを生じさせない力で緊縛した状態で、前記扉１０の前後いずれかの面側においてバンド両端を溶着されている。図において４９ａはバンド両端の溶着部である。
【００７６】
なお、この実施例では、前記ストライク部材１９に図４に示したラッチボルト受け２８を仮装着して前記錠本体１６のラッチボルト１７とストライク部材１９とをガタつきの無い状態で係合させるとともに、図９のように前記扉枠３３の左右の縦枠部３４，３５の内側面と扉１０の両側縁の端面との間の隙間に少なくとも前記バンド４９の巻付け部分に対応させてスペーサ５０を挟み込み、前記扉枠３３の前面（枠本体部３３ａの前面）の化粧縁嵌込み溝４５の少なくともバンド巻付け部分に補強材５１を取外し可能に嵌込み、さらに、図８のように前記扉枠３３の左右の縦枠部３４，３５の下端部に仮戸当り材５２を仮装着して、その状態で前記扉枠３３と扉１０とを前記バンド４９により緊縛している。
【００７７】
前記扉枠３３の左右の縦枠部３４，３５の内側面と扉１０の両側縁の端面との間の隙間に挟み込むスペーサ５０は、前記隙間と略同じ厚さの板片であり、このスペーサ５０は、前記バンド４９の緊縛力によって、前記縦枠部３４，３５と扉１０との間にみだりに抜け外れないように挟持される。なお、このスペーサ５０の長さは任意でよく、要は、少なくとも前記バンド２７の巻付け部分に対応していればよい。
【００７８】
また、前記扉枠３３の前面の化粧縁嵌込み溝４５に嵌込む補強材５１は、前記化粧縁嵌込み溝４５の溝幅と略同じ厚さと、前記化粧縁嵌込み溝４５の深さよりも僅かに（数ｍｍ程度）大きい幅を有する板片であり、この補強材５１は、前記化粧縁嵌込み溝４５内に補強材５１の一側縁部が扉枠３３の前面から突出する状態で嵌込まれ、その突出部を前記バンド４９により押えられて、みだりに化粧縁嵌込み溝４５内から抜け外れないように固定される。なお、この補強材５１の長さは任意でよく、要は、少なくとも前記バンド４９の巻付け部分に位置していればよい。
【００７９】
さらに、前記仮戸当り材５２は、前記補助枠３７の前縁側の部分と略同じ形状に加工された木材からなっており、この仮戸当り材５２は、前記扉枠３３の左右の縦枠部３４，３５の下端部にそれぞれ、その前面の凸部（補助枠３７の前面に形成された扉枠係合凸部４３に相当する部分）を前記扉枠３３の枠本体部３３ａの後面に設けられた補助枠係合溝４２に嵌込んで仮装着され、前記扉１０の下端側の両側部分をその後面側から受け止めている。
【００８０】
上記内装用枠付き扉は、前記扉枠３３と扉１０とを前記バンド４９により緊縛した状態で建屋内の扉設置部に嵌込んで据付けるようにしたものであり、その据付け施工は次のような手順で行なわれる。
【００８１】
まず、前記バンド４９により緊縛されている扉枠３３と扉１０とを、建屋内の扉設置部、例えば図１０及び図１１に示した居室壁Ａに設けられた開口部の前側部分に嵌込んで位置決めする。この作業は、上述した第１の実施例と同様に、一人で容易に行なうことができる。
【００８２】
次に、図１１に示したように、前記扉枠３３の左右の縦枠部３４，３５及び上枠部３６の外側面と前記扉設置部の周面との間の隙間に、前記バンド４９に対応する部分を避けて、前記扉枠３３の張出板部３３ｂを含めた奥行き寸法と同程度の幅を有する適当な厚さの板材５３ａを適当枚数重ねて挿入して扉枠３３の位置を安定させ、その状態で、前記扉枠３３の左右の縦枠部３４，３５及び上枠部３６を、扉枠３３の周方向に適当な間隔をおいて、扉枠３３の張出板部３３ｂの内側面及び扉枠前面の化粧縁嵌込み溝４５内から前記扉設置部の周面（居室壁Ａの端面）に釘ａまたは木ネジ等を打込んで前記扉設置部の周面に固定する。
【００８３】
なお、この施工例では、扉枠３３を、その張出板部３３ｂ及び化粧縁嵌込み溝４５内とにおいて扉設置部の周面に固定しているが、前記扉枠３３は、充分な固定強度が得られさえすれば、前記張出板部３３ｂだけにおいて扉設置部の周面に固定してもよい。
【００８４】
次に、扉枠３３と扉１０とを緊縛しているバンド４９を、前記扉１０の前後面のいずれかの側において任意の箇所で切断し、その一方の端部を引っ張って前記バンド４９を取外す。
【００８５】
次に、前記錠本体１６のラッチボルト１７をハンドル１８の回動によりストライク部材１９から離脱させて扉１０を扉枠３３の前方に開き、前記ラッチボルト受け２８をストライク部材１９から取外すとともに、前記扉枠３３の左右の縦枠部３４，３５の内側面と扉１０の両側縁の端面との間の隙間に挟み込んでおいたスペーサ５０と、前記扉枠３３の前面の化粧縁嵌込み溝２２に嵌込んでおいた補強材５１と、前記扉枠３３の左右の縦枠部３４，３５の下端部にそれぞれ仮装着しておいた仮戸当り材５２とを取外す。
【００８６】
なお、前記扉設置部への扉枠３３の嵌込み及び固定は、前記錠本体１６のハンドル１８を取外した状態で行なってもよく、その場合は、前記扉設置部に扉枠３３を固定した後に、前記錠本体１６のカム軸を適当な工具により回動させて前記ラッチボルト１７を前記ストライク部材１９から離脱させるか、あるいは、扉枠３３を前記扉設置部に嵌込んで固定した後に、前記錠本体１６にハンドル１８を取付けてその回動により前記ラッチボルト１７を前記ストライク部材１９から離脱させればよい。
【００８７】
次に、前記扉設置部の後側部分に前記補助枠３７を嵌込み、この補助枠３７を、その外側面の切欠部３７ａを前記扉枠３３の張出板部３３ｂに重ね、前面を前記扉枠３３の枠本体部３３ａの後面に当接させるとともに、前記補助枠３７の前面の扉枠係合凸部４３を前記扉枠３３の枠本体部３３ａの後面の補助枠係合溝４２に嵌合させて位置決めする。
【００８８】
次に、図１１に示したように、前記補助枠３７の左右の縦枠部３８，３９及び上枠部４０の外側面と前記扉設置部の周面との間の隙間に、前記補助枠３７の前記切欠部３７ａよりも後側の部分と同程度の幅を有する適当な厚さの板材５３ｂを適当枚数重ねて挿入して補助枠３７の位置を安定させ、その状態で、前記補助枠３７の左右の縦枠部３８，３９及び上枠部４０を、その後面の化粧縁嵌込み溝４６内から前記扉設置部の周面に釘ａまたは木ネジ等を打込んで前記扉設置部の周面に固定する。
【００８９】
その後は、図１０に示したように、前側及び後側化粧縁４７，４８を、その裏面を前記居室壁Ａの壁面に当接させ、前記足板部を扉枠３３の前面の化粧縁嵌込み溝４５と補助枠３７の後面の化粧縁嵌込み溝４６とに嵌込んで接着剤または隠し釘により扉枠３３及び補助枠３７に取付け、枠付き扉の据付施工を終了する。
【００９０】
上記第２の実施例の内装用枠付き扉は、扉１０の厚さと同程度の奥行き寸法を有する枠本体部３３ａの後面の外側縁部に前記枠本体部３３ａの後方に突出する張出板部３３ｂが形成され、建屋内の扉設置部の前側部分に嵌込まれてその周面に固定される扉枠３３と、前記扉設置部の奥行き長さと前記扉枠３３の枠本体部３３ａの奥行き寸法との差と同程度の奥行き寸法を有し、外側面に前記扉枠３３の張出板部３３ｂに対応する切欠部３７ａが形成され、内側に前記扉枠３３の枠本体部３３ａの内側面よりも枠内方向に突出する戸当り部３７ｂが形成されてなり、前記扉枠３３を前記扉設置部の周面に固定した後に、前記切欠部３７ａを前記扉枠３３の張出板部３３ｂに重ね、前面を前記扉枠３３の枠本体部３３ａの後面に当接させて前記扉設置部の周面に固定される補助枠３７とを備え、前記扉枠３３内に、前記扉１０を、その一側縁を前記扉枠３３の一方の縦枠部３４の枠本体部３３ａに丁番４１により枢支させて前記扉枠３３内とその前方とに回動可能に設けるとともに、前記扉１０の他側縁側に錠本体１６を設け、前記扉枠３３の他方の縦枠部３５の枠本体部３３ａの内側面に前記錠本体１６のラッチボルト１７と係合するストライク部材１９を設け、さらに、前記扉枠３３の左右の縦枠部３４，３５の張出板部３３ｂにそれぞれ、前記枠本体部３３ａの後面の直後に位置させて、前記張出板部３３ｂの内外面に貫通するバンド通し部４４を設け、前記扉枠３３と前記扉１０とを、前記扉１０を前記扉枠３３内に回動させて前記錠本体１６のラッチボルト１７と前記ストライク部材１９とを係合させた閉扉状態で、前記扉枠３３の周囲に前記バンド通し部４４内を通して横巻きしたバンド４９により緊縛しているため、前記扉枠３３と扉１０とを、前記扉枠３３の縦枠部３４，３５に変形を生じさせることなく緊縛し、扉設置部への前記扉枠３３と扉１０の嵌込み及び前記扉設置部の周面への前記扉枠３３の固定を作業性良く行なわせることができ、しかも前記扉設置部の周面全体を前記扉枠３３と補助枠３７により覆い隠して良好な外観を得ることができる。
【００９１】
また、上記第２の実施例では、前記扉枠３３の枠本体部３３ａの後面にその周方向に沿わせて補助枠係合溝４２を形成し、前記補助枠３７の前面にその周方向に沿わせて前記補助枠係合溝４２に嵌合する扉枠係合凸部４３を形成しているため、前記補助枠３７を、前記扉設置部の周面に固定された前記扉枠３３に容易に且つ位置ずれを生じさせること無く正確に当接させて前記扉設置部の周面に固定することができる。
【００９２】
さらに、上記実施例の内装用枠付き扉は、前記扉枠３３の前面（枠本体部３３ａの前面）と前記補助枠３７の後枠の後面とにそれぞれその周方向に沿わせて化粧縁嵌込み溝４５，４６を設けたものであるが、図９に示したように、前記扉枠３３の前面の化粧縁嵌込み溝４５の少なくともバンド巻付け部分に、前記化粧縁嵌込み溝４５の溝幅と略同じ厚さの補強材５１を取外し可能に嵌込んでいるため、前記扉枠３３の外側面の前縁部と前記化粧縁嵌込み溝４５との間の部分が前記バンド巻付け部分の付近において前記バンド４９の緊縛力により欠損するのを防ぐことができる。
【００９３】
しかも、上記実施例では、前記化粧縁嵌込み溝４５の補強材５１の幅を前記化粧縁嵌込み溝４５の深さよりも僅かに大きくし、この補強材５１を、その一側縁部を扉枠３３の枠本体部３３ａの前面から突出させて前記化粧縁嵌込み溝４５内に嵌込んでいるため、図９に示したように、前記バンド４９を前記扉枠３３の前面から離間させて巻付けることができ、したがって、前記扉枠３３の前面が前記バンド４９によりこすられて擦り傷ができるのを防ぐことができる。
【００９４】
［第３の実施例］
図１２〜図１６はこの発明の内装用枠付き扉の第３の実施例を示しており、図１２及び図１３はバンドにより緊縛された扉枠と扉の前面側及び後面側から見た斜視図、図１４は前記扉枠と扉の緊縛部分における断面図、図１５は扉設置部への据付終了状態の断面図、図１６は前記扉設置部の周面に対する扉枠及び補助枠の固定方法を示す拡大断面図である。
【００９５】
この実施例の内装用枠付き扉は、建屋内の扉設置部の奥行き長さよりも小さい厚さを有する扉（第１の実施例のものと同じ約３３ｍｍの厚さの規格品）１０と、左右一対の縦枠部５６，５７と上枠部５８とからなり、前記扉設置部の奥行き長さよりも小さく前記扉１０の厚さよりも大きい奥行き寸法（例えば扉１０の厚さに対して５〜１０ｍｍ程度大きい寸法）を有し、前記扉設置部の後側部分に嵌込まれてその周面に固定される扉枠５５と、左右一対の縦枠部６０，６１と上枠部６２とからなり、前記扉設置部の奥行き長さと前記扉枠５５の奥行き寸法との差と同程度の奥行き寸法（例えば扉設置部の奥行き長さと扉枠５５の奥行き寸法との差に対して２〜５ｍｍ程度短い寸法）を有し、前記扉枠５５を前記扉設置部の周面に固定した後に、後面を前記扉枠５５の前面に当接させて前記扉設置部の周面に固定される補助枠５９と、前記扉枠５５を前記扉設置部の周面に固定した後に前記扉枠５５の内側面に取付けられる戸当り材７０と、前記補助枠５９の前面側及び前記扉枠５５の後面側にそれぞれ設けられ、前記補助枠５９及び扉枠５５と前記扉設置部の周面との間の隙間を覆い隠す前側及び後側化粧縁７１，７２とを備えている。
【００９６】
なお、図１２及び図１３では前記扉枠５５の左右の縦枠部５６，５７と上枠部５８及び前記補助枠５９の左右の縦枠部６０，６１と上枠部６１とをそれぞれ連続した一体物のように示しているが、前記扉枠５５と補助枠５９はそれぞれ、木製の左右一対の縦枠材と上枠材の端部を互いに接合して構成されている。
【００９７】
そして、前記扉１０は、図１２及び図１４に示したように、前記扉枠５５内に、この扉１０の一側縁の上端側と下端側の２箇所を前記扉枠５５の一方の縦枠部５６の丁番６３により枢支されて前記扉枠５５内とその前方（図１４において上方）とに回動可能に設けられている。
【００９８】
また、前記扉１０の他側縁側の内部には、図４に示した錠本体１６が設けられ、前記扉枠３３の他方の縦枠部３５の内側面には、図４に示したストライク部材１９が設けられている。
【００９９】
また、前記扉枠５５の内側面（左右の縦枠部５６，５７及び上枠部５８の内側面）には、前記扉１０を前記扉枠５５内にその前面と平行に回動させたときの扉後面位置の直後に対応させて前記戸当り材７０の取付け部６４が形成されている。
【０１００】
前記戸当り材７０は、図１５及び図１６に示したように、一側面にその全長にわたって凸部を形成した角棒状の木材からなっており、前記戸当り材取付け部６４は、前記扉枠５５の内側面にその周方向に沿わせて設けられた、前記戸当り材７０の凸部の幅と略同じ幅を有する溝からなっている。以下、この戸当り材取付け部６４を戸当り材取付け溝という。
【０１０１】
また、前記扉枠５５の前面には、その周方向に沿わせて補助枠係合溝６５が形成され、前記補助枠５９の前面には、その周方向に沿わせて前記補助枠係合溝６５に嵌合する扉枠係合凸部６６が形成されている。
【０１０２】
さらに、前記扉枠５５の左右の縦枠部５６，６７には、その高さ方向の２箇所、例えば上下の丁番６３による枢支部付近の箇所にそれぞれ、前記戸当り材７０により覆い隠される領域内に位置させて、前記扉枠５５の内側面から外側面に貫通するバンド通し孔６７が設けられている。この実施例では、前記バンド通し孔６７を、前記戸当り材取付け溝６４内に、その溝底面から前記扉枠５５の外側面に貫通させて設けている。
【０１０３】
前記補助枠５９の前面と前記扉枠５５の後面にはそれぞれ、その周方向に沿わせて、前側及び後側化粧縁７１，７２を取付けるための化粧縁嵌込み溝６８，６９が設けられている。
【０１０４】
なお、前記化粧縁７１，７２は、木材の加工品や樹脂または金属の成形品であり、この化粧縁７１，７２の裏面には、その全長にわたって、前記化粧縁嵌込み溝６８，６９に嵌込まれる足板部が突出形成されている。
【０１０５】
そして、前記扉枠５５とこの扉枠５５の一方の縦枠部５６に前記丁番６３により一側縁を枢支された扉１０とは、前記扉１０を前記扉枠５５内にその前面と平行に回動させて前記錠本体１６のラッチボルト１７と前記ストライク部材１９とを係合させた閉扉状態で、前記扉枠５５の前記バンド通し孔６７よりも前面側の部分の周囲に前記バンド通し孔６７内を通して横巻きされ、前記扉枠５５を前記扉設置部の周面に固定した後、前記補助枠５９を前記扉設置部の周面に固定する前に切断して取外されるバンド（非伸縮性樹脂バンド）７３により緊縛されていることを特徴とする内装用枠付き扉。
【０１０６】
このバンド７３は、前記扉枠５５の左右の縦枠部５６，５７の高さ方向の２箇所、つまりバンド通し孔６７が設けられた部分にそれぞれ前記バンド通し部６７内を通して横巻きされて緊張され、前記扉枠５５と前記扉１０とを、扉枠５５の左右の縦枠部５６，５７間に扉１０をずれ動きを生じさせない力で緊縛した状態で、前記扉１０の前後いずれかの面側においてバンド両端を溶着されている。図において７３ａはバンド両端の溶着部である。
【０１０７】
なお、この実施例では、前記ストライク部材１９に図４に示したラッチボルト受け２８を仮装着して前記錠本体１６のラッチボルト１７とストライク部材１９とをガタつきの無い状態で係合させるとともに、図１４のように前記扉枠５５の左右の縦枠部５６，５７の内側面と扉１０の両側縁の端面との間の隙間に少なくとも前記バンド７３の巻付け部分に対応させてスペーサ７４を挟み込み、前記扉枠３３の前面に形成された前記補助枠係合溝６５の少なくともバンド巻付け部分に補強材７５を取外し可能に嵌込み、さらに、図１３のように前記扉枠５５の左右の縦枠部５６，５７の下端部に仮戸当り材７６を仮装着して、その状態で前記扉枠５５と扉１０とを前記バンド７３により緊縛している。
【０１０８】
前記扉枠５５の左右の縦枠部５６，５７の内側面と扉１０の両側縁の端面との間の隙間に挟み込むスペーサ７４は、前記隙間と略同じ厚さの板片であり、このスペーサ７４は、前記バンド７３の緊縛力によって、前記縦枠部５６，５７と扉１０との間にみだりに抜け外れないように挟持される。なお、このスペーサ７４の長さは任意でよく、要は、少なくとも前記バンド７３の巻付け部分に対応していればよい。
【０１０９】
また、前記扉枠５５の前面の補助枠係合溝６５に嵌込む補強材７５は、前記補助枠係合溝６５の溝幅と略同じ厚さと、前記補助枠係合溝６５の深さよりも僅かに（数ｍｍ程度）大きい幅を有する板片であり、この補強材７５は、前記補助枠係合溝６５内に補強材７５の一側縁部が扉枠５５の前面から突出する状態で嵌込まれ、その突出部を前記バンド７３により押えられて、みだりに補助枠係合溝６５内から抜け外れないように固定される。なお、この補強材７５の長さは任意でよく、要は、少なくとも前記バンド７３の巻付け部分に位置していればよい。
【０１１０】
さらに、前記仮戸当り材７６は、前記戸当り材７０を前記扉枠５５の左右の縦枠部５６，５７及び上枠部５８の内側面長さに合わせて採寸したときの余り材を利用したものであり、この仮戸当り材７６は、前記扉枠５５の左右の縦枠部５６，５７の下端部にそれぞれ、その凸部（戸当り材７０の凸部に相当する部分）を前記戸当り材取付け溝６４に嵌込んで仮装着され、前記扉１０の下端側の両側部分をその後面側から受け止めている。
【０１１１】
上記内装用枠付き扉は、前記扉枠５５と扉１０とを前記バンド７３により緊縛した状態で建屋内の扉設置部に嵌込んで据付けるようにしたものであり、その据付け施工は次のような手順で行なわれる。
【０１１２】
まず、前記バンド７３により緊縛されている扉枠５５と扉１０とを、建屋内の扉設置部、例えば図１５及び図１６に示した居室壁Ａに設けられた開口部の後側部分に嵌込んで位置決めする。この作業は、上述した第１の実施例と同様に、一人で容易に行なうことができる。
【０１１３】
次に、図１６に示したように、前記扉枠５５の左右の縦枠部５６，５７及び上枠部５８の外側面と前記扉設置部の周面との間の隙間に、前記バンド７３に対応する部分を避けて、前記扉枠５５の奥行き寸法と同程度の幅を有する適当な厚さの板材７７ａを適当枚数重ねて挿入して扉枠５５の位置を安定させ、その状態で、前記扉枠５５の左右の縦枠部５６，５７及び上枠部５８を、扉枠５５の周方向に適当な間隔をおいて、扉枠前面の補助枠係合溝６５内及び扉枠後面の化粧縁嵌込み溝６９内から前記扉設置部の周面（居室壁Ａの端面）に釘ａまたは木ネジ等を打込んで前記扉設置部の周面に固定する。
【０１１４】
次に、扉枠５５と扉１０とを緊縛しているバンド７３を、前記扉１０の前後面のいずれかの側において任意の箇所で切断し、その一方の端部を引っ張って前記バンド７３を取外す。
【０１１５】
次に、前記錠本体１６のラッチボルト１７をハンドル１８の回動によりストライク部材１９から離脱させて扉１０を扉枠５５の前方に開き、前記ラッチボルト受け２８をストライク部材１９から取外すとともに、前記扉枠５５の左右の縦枠部５６，５７の内側面と扉１０の両側縁の端面との間の隙間に挟み込んでおいたスペーサ７４と、前記扉枠５５の前面の補助枠係合溝６５に嵌込んでおいた補強材７５と、前記扉枠５５の左右の縦枠部５６，５７の下端部にそれぞれ仮装着しておいた仮戸当り材７６とを取外す。
【０１１６】
なお、前記扉設置部への扉枠５５の嵌込み及び固定は、前記錠本体１６のハンドル１８を取外した状態で行なってもよく、その場合は、前記扉設置部に扉枠５５を固定した後に、前記錠本体１６のカム軸を適当な工具により回動させて前記ラッチボルト１７を前記ストライク部材１９から離脱させるか、あるいは、扉枠５５を前記扉設置部に嵌込んで固定した後に、前記錠本体１６にハンドル１８を取付けてその回動により前記ラッチボルト１７を前記ストライク部材１９から離脱させればよい。
【０１１７】
次に、前記扉１０を前記扉枠５５内に回動させて閉扉状態とし、その状態で前記扉設置部の前側部分に前記補助枠５９を嵌込み、この補助枠５９を、その後面を前記扉枠５５の前面に当接させるとともに、前記補助枠５９の前面の扉枠係合凸部６６を前記扉枠５５の後面の補助枠係合溝６５に嵌合させて位置決めする。
【０１１８】
次に、図１６に示したように、前記補助枠５９の左右の縦枠部６０，６１及び上枠部６２の外側面と前記扉設置部の周面との間の隙間に、前記補助枠５９の奥行き寸法と同程度の幅を有する適当な厚さの板材７７ｂを適当枚数重ねて挿入して補助枠５９の位置を安定させ、その状態で、前記補助枠５９の左右の縦枠部６０，６１及び上枠部６２を、その前面の化粧縁嵌込み溝６８内から前記扉設置部の周面に釘ａまたは木ネジ等を打込んで前記扉設置部の周面に固定する。
【０１１９】
その後は、図１５に示したように、前記扉枠５５の内側面に、前記戸当り材７０を、その凸部を前記戸当り材取付け溝６９に嵌込んで接着剤または隠し釘により扉枠５５に取付けるとともに、前側及び後側化粧縁７１，７２を、その裏面を前記居室壁Ａの壁面に当接させ、前記足板部を補助枠５９の前面の化粧縁嵌込み溝６８と扉枠５５の後面の化粧縁嵌込み溝６９とに嵌込んで接着剤または隠し釘により補助枠５９及び扉枠５５に取付け、枠付き扉の据付施工を終了する。
【０１２０】
なお、前記扉設置部に据付られた枠付き扉は、扉１０を枢支した扉枠５５の前側、つまり前記扉１０の開き方向に前記補助枠５９があるため、前記扉１０は、前記補助枠５９内を通ってその前方に開かれる。
【０１２１】
そのため、この枠付き扉では、図１４及び図１５に示したように、前記補助枠５９の左右の縦枠部６０，６１及び上枠部６２を、その外側面が前記扉枠５５の外側面に略一致し、内側面が前記扉枠５５の内側面よりも前記錠本体１６のラッチボルト１７の扉側縁からの突出長さよりも大きい幅だけ外側方向に後退した位置にくる厚さに形成し、前記扉１０を、前記ラッチボルト１７の突出部で前記補助枠５９の内側面をこすることなく前方に開くことができるようにしている。
【０１２２】
上記第３の実施例の内装用枠付き扉は、建屋内の扉設置部の奥行き長さよりも小さく扉１０の厚さよりも大きい奥行き寸法を有し、前記扉設置部の後側部分に嵌込まれてその周面に固定される扉枠５５と、前記扉設置部の奥行き長さと前記扉枠５５の奥行き寸法との差と同程度の奥行き寸法を有し、前記扉枠５５を前記扉設置部の周面に固定した後に、後面を前記扉枠５５の前面に当接させて前記扉設置部の周面に固定される補助枠５９とを備え、前記扉１０を前記扉枠５５内に、前記扉１０の一側縁を前記扉枠５５の一方の縦枠部５６に丁番６３により枢支させて前記扉枠５５の前方に開き回動可能に設けるとともに、前記扉１０の他側縁側に錠本体１６を設け、前記扉枠５５の他方の縦枠部５７の内側面に前記錠本体１６のラッチボルト１７と係合するストライク部材１９を設け、前記扉枠５５の内側面に、前記扉１０を前記扉枠５５内に回動させたときの扉後面位置の直後に対応させて戸当り材７０の取付け部（戸当り材取付け溝）６４を形成し、さらに、前記扉枠５５の左右の縦枠部５６，５７にそれぞれ、前記戸当り材７０により覆い隠される領域内（戸当り材取付け溝６４内）に位置させて、前記扉枠５５の内側面から外側面に貫通するバンド通し孔６７を設け、前記扉枠５５と扉１０とを、前記扉１０を前記扉枠５５内に回動させて前記錠本体１６のラッチボルト１７と前記ストライク部材１９とを係合させた閉扉状態で、前記扉枠５５の前記バンド通し孔６７よりも前面側の部分の周囲に前記バンド通し孔６７内を通して横巻きしたバンド７３により緊縛しているため、前記扉枠５５と扉１０とを、前記扉枠５５の縦枠部５６，５７に変形を生じさせることなく緊縛し、扉設置部への前記扉枠５５と扉１０の嵌込み及び前記扉設置部の周面への前記扉枠５５の固定を作業性良く行なわせることができ、しかも前記扉設置部の周面全体を前記扉枠５５と補助枠５９により覆い隠して良好な外観を得ることができる。
【０１２３】
また、この第３の実施例の内装用枠付き扉では、前記扉枠５５の前面にその周方向に沿わせて補助枠係合溝６５を形成し、前記補助枠５９の後面にその周方向に沿わせて前記補助枠係合溝６５に嵌合する扉枠係合凸部６６を形成しているため、前記補助枠５９を、前記扉設置部の周面に固定された前記扉枠５５に容易に且つ位置ずれを生じさせること無く正確に当接させて前記扉設置部の周面に固定することができる。
【０１２４】
そして、この第３の実施例では、前記扉枠５５の前面に形成された補助枠係合溝６５の少なくともバンド巻付け部分に、前記補助枠係合溝６５の溝幅と略同じ厚さの補強材７５を取外し可能に嵌込んでいるため、前記扉枠５５の外側面の前縁部と前記補助枠係合溝６５との間の部分が前記バンド巻付け部分の付近において前記バンド７３の緊縛力により欠損するのを防ぐことができる。
【０１２５】
しかも、上記実施例では、前記補助枠係合溝６５の補強材７５の幅を前記補助枠係合溝６５の深さよりも僅かに大きくし、この補強材７５を、その一側縁部を扉枠５５の前面から突出させて前記補助枠係合溝６５内に嵌込んでいるため、図１４に示したように、前記バンド７３を前記扉枠５５の前面から離間させて巻付けることができ、したがって、前記扉枠５５の前面が前記バンド７３によりこすられて擦り傷ができるのを防ぐことができる。
【０１２６】
［第１〜第３の実施例の変形例］
なお、上述した第１の実施例では、扉枠１１を左右の縦枠部と上枠部とからなる３方枠とし、また、第２及び第３の実施例では、扉枠３３，５５と補助枠３９，５９をそれぞれ左右の縦枠部と上枠部とからなる３方枠としているが、前記扉枠１１，３３，５５と補助枠３９，５９は、左右の縦枠部の下端を、扉設置部への嵌込み時に切取られる捨て枠材により連結したものでも、また、下部に一般にクツズリと呼ばれる下枠板を備えた四方枠でもよい。
【０１２７】
また、前記第１〜第３の実施例の内装用枠付き扉は、周面つまり両側面び上側面が居室壁Ａの端面からなる扉設置部に限らず、例えば、居室の一側に片寄らせて設けられる扉設置部のように、一側面と上側面が居室壁の端面からなり、他側面が他の居室壁の壁面からなる扉設置部や、廊下の途中に設けられる扉設置部のように、両側面がそれぞれ居室壁の壁面からなり、上側面が前記廊下の天井面または前記天井面から垂下された垂れ壁の端面からなる扉設置部等にも据付けることができ、その場合は、その扉設置部の周面形状に合わせた形状の化粧縁を用いればよい。
【図面の簡単な説明】
【０１２８】
【図１】この発明の第１の実施例の内装用枠付き扉を示すバンドにより緊縛された扉枠と扉の前面側から見た斜視図。
【図２】第１の実施例の内装用枠付き扉のバンドにより緊縛された扉枠と扉の後面側から見た斜視図。
【図３】第１の実施例の内装用枠付き扉の扉枠と扉の緊縛部分における断面図。
【図４】扉に設けられた錠本体と扉枠に設けられたストライク部材の断面図。
【図５】第１の実施例の内装用枠付き扉の扉設置部への据付終了状態の断面図。
【図６】第１の実施例の内装用枠付き扉の扉設置部の周面に対する扉枠の固定方法を示す拡大断面図。
【図７】この発明の第２の実施例の内装用枠付き扉を示すバンドにより緊縛された扉枠と扉の前面側から見た斜視図。
【図８】第２の実施例の内装用枠付き扉のバンドにより緊縛された扉枠と扉の後面側から見た斜視図。
【図９】第２の実施例の内装用枠付き扉の扉枠と扉の緊縛部分における断面図。
【図１０】第２の実施例の内装用枠付き扉の扉設置部への据付終了状態の断面図。
【図１１】第２の実施例の内装用枠付き扉の扉設置部の周面に対する扉枠及び補助枠の固定方法を示す拡大断面図。
【図１２】この発明の第３の実施例の内装用枠付き扉を示すバンドにより緊縛された扉枠と扉の前面側から見た斜視図。
【図１３】第３の実施例の内装用枠付き扉のバンドにより緊縛された扉枠と扉の後面側から見た斜視図。
【図１４】第３の実施例の内装用枠付き扉の扉枠と扉の緊縛部分における断面図。
【図１５】第３の実施例の内装用枠付き扉の扉設置部への据付終了状態の断面図。
【図１６】第３の実施例の内装用枠付き扉の扉設置部の周面に対する扉枠及び補助枠の固定方法を示す拡大断面図。
【図１７】従来の内装用枠付き扉のバンドにより緊縛された扉枠と扉の模式的断面図。
【符号の説明】
【０１２９】
１０…扉、１６…錠本体、１７…ラッチボルト、１８…ストライク部材、１１…扉枠、１２，１３…縦枠部、１４…上枠部、１５…丁番、２１…バンド通し孔、２４…戸当り材、２２，２３…化粧縁嵌込み溝、２５，２６…化粧縁、２７…バンド、３０…化粧縁嵌込み溝の補強材、３３…扉枠、３３ａ…枠本体部、３３ｂ…張出板部、３４，３５…縦枠部、３６…上枠部、３７…補助枠、３７ａ…切欠部、３７ｂ…戸当り部、３８，３９…縦枠部、４０…上枠部、４１…丁番、４２…補助枠係合溝、４３…扉枠係合凸部、４４…バンド通し部、４５，４６…化粧縁嵌込み溝、４７，４８…化粧縁、４９…バンド、５１…化粧縁嵌込み溝の補強材、５５…扉枠、５６，５７…縦枠部、５８…上枠部、５９…補助枠、６０，６１…縦枠部、６２…上枠部、６３…丁番、６５…補助枠係合溝、６６…扉枠係合凸部、６７…バンド通し孔、６８，６９…化粧縁嵌込み溝、７０…戸当り材、７１，７２…化粧縁、７３…バンド、７５…補助枠係合溝の補強材。
【図１】
2005213939.tif 000003
【図２】
2005213939.tif 000004
【図３】
2005213939.tif 000005
【図４】
2005213939.tif 000006
【図５】
2005213939.tif 000007
【図６】
2005213939.tif 000008
【図７】
2005213939.tif 000009
【図８】
2005213939.tif 000010
【図９】
2005213939.tif 000011
【図１０】
2005213939.tif 000012
【図１１】
2005213939.tif 000013
【図１２】
2005213939.tif 000014
【図１３】
2005213939.tif 000015
【図１４】
2005213939.tif 000016
【図１５】
2005213939.tif 000017
【図１６】
2005213939.tif 000018
【図１７】
2005213939.tif 000019